(57)【要約】【課題】顧客が商品の精算を行うために特定の金種の貨幣を大量投入したとしても、その後に精算する他の顧客に対する釣銭対応への影響を小さくすることができる貨幣処理装置、貨幣処理システム及び貨幣処理方法を提供すること。【解決手段】貨幣処理装置３０は、金銭登録機２０から小計額を受け取ると（Ｓ１）、貨幣の入金を許可し、入金された貨幣の金種と数量（枚数）とからなる入金構成と、入金額とを取得する（Ｓ２）。その後、貨幣処理装置３０は、入金額から小計額を減算した釣銭額を算定する（Ｓ３）。その後、貨幣処理装置３０は、小計額を構成する貨幣の枚数が最小となる金種と枚数との組み合わせである小計額最小構成を算出する（Ｓ４）。そして、貨幣処理装置３０は、金種ごとに、入金構成から小計額最小構成を減算した釣銭額出金構成を算出し（Ｓ５）、この釣銭額出金構成が示す金種と枚数との組み合わせからなる貨幣を釣銭として出金する。【選択図】図１
2020119453.tif 000002
【特許請求の範囲】
【請求項１】
貨幣を入金する入金部と、
貨幣を排出する排出部と
を有し、
前記入金部から入金された貨幣の金種と数量とに基づいて決定された金種と数量の貨幣を前記排出部に排出する
貨幣処理装置。
【請求項２】
貨幣を入金する入金部と、
前記入金部から入金された入金額の合計額を算出する算出部と、
貨幣を排出する排出部と
を有し、
前記入金部から入金された貨幣の金種と前記合計額とに基づいて決定された金種と数量の貨幣を前記排出部に排出する
貨幣処理装置。
【請求項３】
貨幣を入金する入金部と、
前記入金部から入金された入金額の合計額を算出する算出部と、
貨幣を排出する排出部と、
を有し、
前記入金部から入金された貨幣の数量と前記合計額とに基づいて決定された金種と数量の貨幣を前記排出部に排出する
貨幣処理装置。
【請求項４】
前記入金部から入金された貨幣の金種と、釣銭として構成される貨幣の金種が重複している場合、前記入金部から入金された前記貨幣のうち、釣銭として構成される貨幣と重複している貨幣を前記排出部に排出する
請求項１乃至３のいずれか一つに記載の貨幣処理装置。
【請求項５】
貨幣を収納する収納部を備え、
前記入金部から入金された貨幣の金種及び数量と、前記収納部の収納量とに基づいて決定された金種と数量の貨幣を前記排出部に排出する
請求項１乃至４のいずれか一つに記載の貨幣処理装置。
【請求項６】
前記収納量が所定量より多い金種の貨幣に前記入金部から入金された貨幣の金種がふくまれている場合、前記収納量が所定量より多い金種の貨幣を前記排出部に排出する
請求項５に記載の貨幣処理装置。
【請求項７】
前記入金部から入金された貨幣の金種に、前記収納量より少ない金種の貨幣が含まれている場合、前記収納量が所定量より少ない金種の貨幣を前記収納部に収納する
請求項５又は６に記載の貨幣処理装置。
【請求項８】
前記所定量は、あらかじめ記憶部に記憶されている設定値によって定められている
請求項６又は７のいずれか一つに記載の貨幣処理装置。
【請求項９】
前記所定量は、釣銭準備金に関する貨幣の金種毎の枚数に係る残置設定値によって定められている
請求項６乃至８のいずれか一つに記載の貨幣処理装置。
【請求項１０】
前記入金部から入金された貨幣を一時的に収納する一時収納部をさらに備える
請求項６乃至９のいずれか一つに記載の貨幣処理装置。
【請求項１１】
金銭登録機と貨幣処理を行う貨幣処理装置とを通信可能に接続した貨幣処理システムであって、
前記貨幣処理装置は、
貨幣を入金する入金部と、
貨幣を排出する排出部と
を有し、
前記金銭登録機は、
前記入金部から入金された貨幣の金種と数量とに基づいて前記排出部に排出させる金種と数量の貨幣を決定する
貨幣処理システム。
【請求項１２】
貨幣を入金するステップと、
貨幣を排出するステップと、
入金された貨幣の金種と数量とに基づいて決定された金種と数量の貨幣を排出するステップと
を有する貨幣処理方法。
【請求項１３】
貨幣を入金するステップと、
入金された貨幣の合計額を算出するステップと、
貨幣を排出するステップと、
入金された貨幣の金種と前記合計額とに基づいて決定された金種と数量の貨幣を排出するステップと
を有する貨幣処理方法。
【請求項１４】
貨幣を入金するステップと、
入金された貨幣の合計額を算出するステップと、
貨幣を排出するステップと、
入金された貨幣の数量と前記合計額とに基づいて決定された金種と数量の貨幣を排出するステップと
を有する貨幣処理方法。
【発明の詳細な説明】
【技術分野】
【０００１】
本発明は、顧客が商品の精算を行うために特定の金種の貨幣を大量投入したとしても、その後に精算する他の顧客に対する釣銭対応への影響を小さくすることができる貨幣処理装置、貨幣処理システム及び貨幣処理方法に関する。
【背景技術】
【０００２】
従来、スーパーマーケット等の店舗で商品の販売を行なう場合には、店員がＰＯＳ（Point Of Sale）レジスタを操作することで購入対象となる商品の登録と精算とを行なっていた。ところが、商品の登録と精算とをＰＯＳレジスタで行なうこととすると、精算処理に手間取った場合に顧客の待ち時間が長くなる。
【０００３】
このため、商品の登録を行う金銭登録機と精算を行う貨幣処理装置とを分離し、店員が金銭登録機を用いて商品の登録を行い、顧客が貨幣処理装置を用いて自ら精算を行うセミセルフレジが知られている。また、顧客自身が商品の登録及び精算を行う貨幣処理システムを用いて、商品の登録及び精算を行うセルフレジについても知られている。
【０００４】
このようなセミセルフレジやセルフレジでは、顧客が自らの財布にある小銭を消費するために、特定の金種を大量に入金する場合がある。このような入金が行われると、特定の金種を収納する収納庫の貨幣がフル状態になり、その後に特定の金種の入金ができなくなる事態が発生する。
【０００５】
ここで、特許文献１では、例えば１０円硬貨などの１系の金種がフル状態の場合、例えば５０円硬貨などの５系の釣銭を１系の金種で代替し、１系の金種のフル状態を解消する技術が開示されている。
【先行技術文献】
【特許文献】
【０００６】
【特許文献１】特開２０００−１６３６１８号公報
【発明の概要】
【発明が解決しようとする課題】
【０００７】
しかしながら、精算時に顧客が特定の金種を大量に入金した後に、上記特許文献１に記載された代替による収納庫のフル状態の解消処理を行ったならば、特定の金種を大量投入した顧客ではなく、その後に精算する顧客に対してこの代替が発生する。その結果、その後に精算する顧客は、適量の金種構成で入金しているにも関わらず、代替により特定の金種を大量に含む釣銭を受け取らざるを得ず、不適切な釣銭対応が生じる。
【０００８】
一般に、釣銭の構成は、最小数となるように金種と数量とが決定される。したがって、顧客によっては、この機能を利用して、セルフレジやセミセルフレジでの精算時に特定の金種を大量投入し、精算と同時に逆両替をしようとする場合があり、上記の不適切な釣銭対応が発生しやすい。
【０００９】
本発明は、上記従来技術の課題を解決するためになされたものであって、顧客が商品の精算を行うために特定の金種の貨幣を大量投入したとしても、その後に精算する他の顧客に対する釣銭対応への影響を小さくすることができる貨幣処理装置、貨幣処理システム及び貨幣処理方法を提供することを目的とする。
【課題を解決するための手段】
【００１０】
上述した課題を解決し、目的を達成するため、本発明は、貨幣を入金する入金部と、貨幣を排出する排出部とを有し、前記入金部から入金された貨幣の金種と数量とに基づいて決定された金種と数量の貨幣を前記排出部に排出するようにしている。
【００１１】
また、本発明は、貨幣を入金する入金部と、前記入金部から入金された入金額の合計額を算出する算出部と、貨幣を排出する排出部とを有し、前記入金部から入金された貨幣の金種と前記合計額とに基づいて決定された金種と数量の貨幣を前記排出部に排出するようにしている。
【００１２】
また、本発明は、貨幣を入金する入金部と、前記入金部から入金された入金額の合計額を算出する算出部と、貨幣を排出する排出部とを有し、前記入金部から入金された貨幣の数量と前記合計額とに基づいて決定された金種と数量の貨幣を前記排出部に排出するようにしている。
【００１３】
また、本発明は、上記発明において、前記入金部から入金された貨幣の金種と、釣銭として構成される貨幣の金種が重複している場合、前記入金部から入金された前記貨幣のうち、釣銭として構成される貨幣と重複している貨幣を前記排出部に排出するようにしている。
【００１４】
また、本発明は、上記発明において、貨幣を収納する収納部を備え、前記入金部から入金された貨幣の金種及び数量と、前記収納部の収納量とに基づいて決定された金種と数量の貨幣を前記排出部に排出するようにしている。
【００１５】
また、本発明は、上記発明において、前記収納量が所定量より多い金種の貨幣に前記入金部から入金された貨幣の金種がふくまれている場合、前記収納量が所定量より多い金種の貨幣を前記排出部に排出するようにしている。
【００１６】
また、本発明は、上記発明において、前記入金部から入金された貨幣の金種に、前記収納量より少ない金種の貨幣が含まれている場合、前記収納量が所定量より少ない金種の貨幣を前記収納部に収納するようにしている。
【００１７】
また、本発明は、上記発明において、前記所定量は、あらかじめ記憶部に記憶されている設定値によって定められている。
【００１８】
また、本発明は、上記発明において、前記所定量は、釣銭準備金に関する貨幣の金種毎の枚数に係る残置設定値によって定められている。
【００１９】
また、本発明は、上記発明において、前記入金部から入金された貨幣を一時的に収納する一時収納部をさらに備えるようにしている。
【００２０】
また、本発明は、金銭登録機と貨幣処理を行う貨幣処理装置とを通信可能に接続した貨幣処理システムであって、前記貨幣処理装置は、貨幣を入金する入金部と、貨幣を排出する排出部とを有し、前記金銭登録機は、前記入金部から入金された貨幣の金種と数量とに基づいて前記排出部に排出させる金種と数量の貨幣を決定するようにしている。
【００２１】
また、本発明は、貨幣を入金するステップと、貨幣を排出するステップと、入金された貨幣の金種と数量とに基づいて決定された金種と数量の貨幣を排出するステップとを有する。
【００２２】
また、本発明は、貨幣を入金するステップと、入金された貨幣の合計額を算出するステップと、貨幣を排出するステップと、入金された貨幣の金種と前記合計額とに基づいて決定された金種と数量の貨幣を排出するステップとを有する。
【００２３】
また、本発明は、貨幣を入金するステップと、入金された貨幣の合計額を算出するステップと、貨幣を排出するステップと、入金された貨幣の数量と前記合計額とに基づいて決定された金種と数量の貨幣を排出するステップとを有する。
【発明の効果】
【００２４】
本発明によれば、顧客が商品の精算を行うために特定の金種の貨幣を大量投入したとしても、その後に精算する他の顧客に対する釣銭対応への影響を小さくすることができる。
【図面の簡単な説明】
【００２５】
【図１】図１は、本実施例に係る貨幣処理装置の概念を説明するための説明図である。
【図２】図２は、精算装置の外観構成を示す斜視図である。
【図３】図３は、精算装置の機能構成を示す機能ブロック図である。
【図４】図４は、紙幣処理ユニットの構成を示す構成図である。
【図５】図５は、硬貨処理ユニットの構成を示す構成図である。
【図６】図６は、貨幣処理装置における釣銭の出金処理の処理手順を示すフローチャートである。
【図７】図７は、出金処理部による出金処理の処理手順を示すフローチャートである。
【図８】図８は、出金処理部による釣銭額出金構成算出処理の処理手順を示すフローチャートである。
【図９】図９は、具体的な釣銭額出金構成算出処理の内容を説明する説明図である。
【図１０】図１０は、本変形例１に係る貨幣処理装置の出金処理部による出金処理の処理手順を示すフローチャートである。
【図１１】図１１は、本変形例２に係る貨幣処理装置の出金処理部による出金処理の処理手順を示すフローチャートである。
【図１２】図１２は、入力構成、小計額最小構成、釣銭額出金構成及び釣銭額最小構成の一例を示す図である。
【図１３】図１３は、本変形例３に係る貨幣処理装置の出金処理部による出金処理の処理手順を示すフローチャートである。
【図１４】図１４は、本変形例４に係る貨幣処理装置による釣銭の出金処理の処理手順を示すフローチャートである。
【図１５】図１５は、変形例５に係る硬貨処理ユニットの構成を示す構成図である。
【図１６】図１６は、一時保留部を用いた出金処理部による出金処理の処理手順を示すフローチャートである。
【発明を実施するための形態】
【実施例】
【００２６】
以下、添付図面を参照して、本実施例に係る貨幣処理装置、貨幣処理システム及び貨幣処理方法の実施例を説明する。本実施例では、コンビニエンスストアやスーパーマーケット等の店内に配設された貨幣処理装置に本発明を適用した場合を示すこととする。
【００２７】
＜本実施例に係る貨幣処理装置の概念＞
図１は、本実施例に係る貨幣処理装置の概念を説明するための説明図である。図１に示した貨幣処理装置３０を含む精算装置１０は、顧客自身が商品の登録及び精算を行うセルフレジ用の装置である。その詳細な説明については後述するが、精算装置１０は、商品の登録を行うＰＯＳレジとしての金銭登録機２０と貨幣の入出金を行う貨幣処理装置３０とを有し、貨幣処理装置３０の硬貨投入口５１、硬貨払出口５５、紙幣投入口４１ａ及び紙幣投出口４２ａが設けられている。
を有する。
【００２８】
顧客が精算装置１０を操作して商品の登録を行い、硬貨投入口５１及び紙幣投入口４１ａに対して商品の対価となる貨幣を投入した場合に、投入された貨幣の金額が商品の小計額を超えるならば、精算装置１０は、投入された貨幣の入金額と商品の小計額との差分を算定し、算定した差分を釣銭として出金処理する。なお、硬貨を出金処理する場合には、硬貨払出口５５へ払い出しを行い、紙幣を出金処理する場合には、紙幣投出口４２ａへ払い出しを行う。
【００２９】
ここで、出金処理される貨幣は、一般に、貨幣の枚数が最小となる金種の組み合わせが選択される。すなわち、可能な限り高額紙幣を優先した金種の組み合わせが選択される。したがって、顧客が入金した貨幣に特定の金種の多量の貨幣が含まれている場合には、特定の金種が高額貨幣側に逆両替された釣銭として出金されるとともに、特定の金種の貨幣が収納庫に多量に収納され、収納庫がフル状態になり、その後精算する他の顧客は、金種の代替出金によってこの特定の金種を大量に含む釣銭を受け取ることなる。この代替出金とは、例えば千円札１枚の釣銭を出金する代わりに、５００円硬貨２枚の釣銭を出金することを意味する。
【００３０】
そこで、貨幣処理装置３０は、まず、金銭登録機２０から小計額を受け取ると（Ｓ１）、貨幣の入金を許可し、入金された貨幣の金種と数量（枚数）とからなる入金構成と、入金額とを取得する（Ｓ２）。その後、貨幣処理装置３０は、入金額から小計額を減算した釣銭額を算定する（Ｓ３）。その後、貨幣処理装置３０は、小計額を構成する貨幣の枚数が最小となる金種と枚数との組み合わせである小計額最小構成を算出する（Ｓ４）。そして、貨幣処理装置３０は、金種ごとに、入金構成から小計額最小構成を減算した釣銭額出金構成を算出し（Ｓ５）、この釣銭額出金構成が示す金種と枚数との組み合わせからなる貨幣を釣銭として出金する。
【００３１】
例えば、小計額が３４５５円であり、入金額が７５００円であり、入金額の入金構成が、１０００円紙幣４枚、５００円硬貨５枚、１００円硬貨７枚、５０円硬貨５枚、１０円硬貨５枚、５円硬貨０枚である場合には、釣銭額が４０４５円となる。一方、小計額最小構成は、１０００円紙幣３枚、５００円硬貨０枚、１００円硬貨４枚、５０円硬貨１枚、１０円硬貨０枚、５円硬貨１枚となる。そして、金種ごとに、入金構成から小計額最小構成を減算した釣銭額出金構成を算出する。釣銭額出金構成は、１０００円紙幣１枚、５００円硬貨５枚、１００円硬貨３枚、５０円硬貨４枚、１０円硬貨１０枚、５円硬貨１枚となる。なお、入金構成は、５円硬貨が０枚であるため、１０円硬貨１枚を５円硬貨２枚に両替して釣銭額出金構成を算出する。
【００３２】
ここで、従来の貨幣処理装置では、釣銭額が４０４５円であるため、１０００円紙幣４枚、１０円硬貨４枚、５円硬貨１枚が釣銭額最小構成となり、これらの貨幣が釣銭として出金され、枚数の多い５００円硬貨（５枚）、１００円硬貨（７枚）、５０円硬貨（５枚）は、すべて収納庫に収納されてしまう。その結果、収納庫がフル状態に近づいてしまう。これに対して、本実施例に係る貨幣処理装置３０では、金種毎に、入金構成から小計額最小構成を減算した釣銭額出金構成を釣銭として出力している。すなわち、最適な小計額最小構成の金種と枚数とが収納庫に収納され、余剰分である釣銭額出金構成の金種と枚数とが顧客側に払い戻される。この結果、商品購入の精算時に顧客が特定の金種の大量投入を含む入金を発生させても、その後に精算する顧客に対する釣銭対応への影響を小さくすることができる。
【００３３】
＜精算装置１０の構成＞
次に、図１に示した精算装置１０の構成について説明する。図２は、図１に示した精算装置１０の外観構成を示す斜視図である。図２に示す精算装置１０は、金銭登録機２０と貨幣処理装置３０とを有する。金銭登録機２０は、表示操作部２１、バーコードリーダ２２、カードリーダ２３を有し、貨幣処理装置３０は、表示操作部３２、紙幣投入口４１ａ、紙幣投出口４２ａ、硬貨投入口５１、硬貨払出口５５を有する。
【００３４】
また、精算装置１０には、商品台１１及び商品台１２が併設されている。商品台１１と商品台１２の一方は、未登録の商品を載置する台であり、他方は登録済の商品を載置する台である。例えば、商品台１１を未登録の商品の載置に用い、商品台１２を登録済の商品の載置に用いる場合には、商品台１１に買い物かごのイラストを付し、商品台１２に買い物袋のイラストを付しておく。
【００３５】
顧客は、購入対象の商品を買い物かごに入れたままの状態で商品台１１に載置し、商品をとりだしてバーコードリーダ２２に翳して登録し、商品台１２に移す操作を繰り返すことになる。なお、バーコードリーダ２２は、商品に付されたバーコードを読み取ることで商品の名称や価格等の情報を取得することができ、精算装置１０はバーコードから取得された情報を用いて商品の登録を行う。
【００３６】
金銭登録機２０の表示操作部２１は、液晶タッチパネルディスプレイなどであり、操作の案内表示や登録された商品の表示を行うとともに、各種操作入力を受け付けることができる。カードリーダ２３は、クレジットカード、デビットカード、プリペイドカード等のペイメントカードを用いた精算を行う場合に利用される。
【００３７】
紙幣投入口４１ａと硬貨投入口５１は、それぞれ紙幣と硬貨の投入に用いられ、紙幣投出口４２ａと硬貨払出口５５は、それぞれ紙幣と硬貨の投出に用いられる。例えば、顧客は、商品の登録後、表示操作部２１に表示された価格を確認し、商品の対価となる貨幣を紙幣投入口４１ａや硬貨投入口５１に投入する。そして、釣銭の出金処理が必要であれば、精算装置１０は紙幣投出口４２ａや硬貨払出口５５へ釣銭としての貨幣を出金処理する。
【００３８】
貨幣処理装置３０の表示操作部３２は、液晶タッチパネルディスプレイ等であり、貨幣処理装置３０に収納された貨幣の金種別在高の表示など、貨幣処理装置３０に係る表示を行うとともに、貨幣処理装置３０に係る操作の受付を行う。
【００３９】
図３は、精算装置１０の機能構成を示す機能ブロック図である。図３に示すように、精算装置１０は、商品の登録を行う金銭登録機２０と貨幣の入出金を行う貨幣処理装置３０とを有する。
【００４０】
金銭登録機２０は、既に説明した表示操作部２１、バーコードリーダ２２及びカードリーダ２３に加え、印字部２４、通信部２５及びＰＯＳ制御部２６を有する。印字部２４は、取引内容を印字したレシートの発行に用いられる。レシートに印字される取引内容は、例えば日時、登録された商品の名称、価格、投入された貨幣の金額、釣銭の金額などである。通信部２５は、釣銭機３０や外部のサーバとの通信を行う通信インタフェースである。
【００４１】
ＰＯＳ制御部２６は、金銭登録機２０を全体制御する制御部であり、購入商品登録部２６ａ、購入金額算定部２６ｂ及び決済処理部２６ｃを有する。また、ＰＯＳ制御部２６は、商品台１１及び商品台１２にそれぞれ設けられた重量センサ２７ａ及び重量センサ２７ｂから重量の計測結果を取得することができる。ここでは、重量センサ２７ａを未登録の商品の載置に用いる商品台１１に設け、重量センサ２７ｂを登録済の商品の載置に用いる商品台１２に設けた構成を例に説明する。
【００４２】
購入商品登録部２６ａは、購入対象となる商品の登録を行う処理部である。具体的には、バーコードリーダ２２が商品に付されたバーコードを読み取って商品の名称や価格等の情報を取得した場合に、購入商品登録部２６ａは、取得された情報を用いて商品の登録を行い、登録した商品を表示操作部２１に表示する。
【００４３】
購入商品登録部２６ａは、重量センサ２７ａ及び重量センサ２７ｂの計測結果を用いて登録した商品が商品台１２に置かれたか否かを判定し、登録した商品が商品台１２に置かれた場合に次の商品を登録可能な状態となる。
【００４４】
すなわち、商品の登録前に生じた重量センサ２７ａの計測結果の減少が商品の重量に対応するので、重量センサ２７ｂの計測結果が商品の重量分増加したときに「登録した商品が商品台１２に置かれた」と判定し、次の商品の登録を可能とするのである。
【００４５】
また、購入商品登録部２６ａは、重量センサ２７ａの計測結果が買い物かごの重量相当となり、最後に登録された商品が商品台１２に置かれたと判定した場合に、商品の登録を終了する。
【００４６】
購入金額算定部２６ｂは、購入商品登録部２６ａが商品の登録を終了した場合に、登録された全ての商品の価格を合計することで購入金額を算定し、表示操作部２１に表示する処理を行う。
【００４７】
決済処理部２６ｃは、購入金額算定部２６ｂにより算定された購入金額の決済を行って取引を完了し、レシートの発行を行う処理部である。購入金額の決済は、ペイメントカードにより行ってもよいし、現金により行ってもよい。
【００４８】
具体的には、決済処理部２６ｃは、ペイメントカードによる決済が選択された場合には、カードリーダ２３に挿入されたペイメントカードからカードＩＤ等の情報を取得し、購入金額とともに外部のサーバに送信することで決済を行う。
【００４９】
また、決済処理部２６ｃは、現金による決済が選択された場合には、貨幣処理装置３０に購入金額である小計額を送信し、貨幣処理装置３０から精算完了通知を受信した場合に決済を完了する。
【００５０】
貨幣処理装置３０は、既に説明した表示操作部３２に加え、通信部３１、記憶部３３、貨幣処理制御部３４、紙幣処理ユニット４０及び硬貨処理ユニット５０を有する。通信部３１は、金銭登録機２０との通信を行う通信インタフェースである。
【００５１】
記憶部３３は、フラッシュメモリ等の不揮発性メモリ又はハードディスク装置等の二次記憶媒体等からなる記憶デバイスであり、在高データ３３ａ及び設定値３３ｂを記憶する。在高データ３３ａは、紙幣処理ユニット４０及び硬貨処理ユニット５０の各々に収納されている貨幣の金種別の在高を示すデータである。設定値３３ｂは、出金処理時をはじめ、貨幣処理機３０の制御等において用いられる各種設定データである。
【００５２】
紙幣処理ユニット４０は、紙幣を金種別に収納するユニットであり、硬貨処理ユニット５０は硬貨を金種別に収納するユニットである。紙幣処理ユニット４０及び硬貨処理ユニット５０の詳細については後述する。
【００５３】
貨幣処理制御部３４は、貨幣処理装置３０を全体制御する制御部であり、入金処理部３４ａ及び出金処理部３４ｂを有する。入金処理部３４ａは、貨幣の入金処理を行う処理部である。入金処理部３４ａは、金銭登録機２０から小計額を受信した場合に、紙幣処理ユニット４０及び硬貨処理ユニット５０に対する貨幣の投入を許可する。
【００５４】
その後、入金処理部３４ａは、紙幣処理ユニット４０及び硬貨処理ユニット５０から投入された貨幣の金種別の枚数である入金構成を取得し、投入された貨幣の入金額を算定する。投入された貨幣の入金額が小計額を超えるならば、入金処理部３４ａは、入金額と小計額とのの差分を釣銭額として算定し、出金処理部３４ｂに釣銭の出金指示を行う。
【００５５】
投入された貨幣の小計額が入金額と一致するか、もしくは出金処理部３４ｂによる釣銭の出金が正常に終了した場合、入金処理部３４ａは金銭登録機２０に精算完了通知を送信する。
【００５６】
出金処理部３４ｂは、貨幣の出金処理を行う処理部である。具体的には、出金処理部３４ｂは、入金処理部３４ａから釣銭の出金指示を受けた場合に、釣銭額に応じて払い出すべき金種と枚数を決定し、紙幣処理ユニット４０及び硬貨処理ユニット５０に対して払出指示を出力することで出金処理を行う。そして、釣銭の出金が正常に終了した場合には、入金処理部３４ａに通知する。
【００５７】
出金処理部３４ｂは、出金処理時において払い出すべき金種と枚数を示す釣銭額出金構成を決定する場合、小計額を構成する貨幣の枚数が最小となる金種と枚数との組み合わせである小計額最小構成を算出する。そして、出金処理部３４ｂは、金種ごとに、入金構成から小計額最小構成を減算した釣銭額出金構成を算出し、釣銭額出金構成が示す金種毎の枚数を釣銭として出金処理する。
【００５８】
次に、紙幣処理ユニット４０及び硬貨処理ユニット５０の詳細について説明する。図４は、紙幣処理ユニット４０の構成を示す構成図である。図４に示すように、紙幣処理ユニット４０は、紙幣受入部４１と、紙幣払出部４２と、出金リジェクト部４３と、カセット装着部４４と、周回搬送部４５と、紙幣識別部４６と、金種別の紙幣収納部４７とを有する。
【００５９】
紙幣受入部４１は、紙幣投入口４１ａに対する紙幣の投入を受け付け、１枚ずつ周回搬送部４５に繰り出す処理部である。紙幣払出部４２は、周回搬送部４５から１枚ずつ搬送された紙幣を一時的に貯留し、払い出すべき全ての紙幣が揃った場合に紙幣投出口４２ａから投出することで紙幣を払い出す処理部である。
【００６０】
出金リジェクト部４３は、金種が識別できない等、出金に適さない紙幣を内部に集積する。例えば、出金処理時において紙幣収納部４７から繰り出された紙幣のうち、重送や斜行等の搬送異常により紙幣識別部４６で識別することができなかった紙幣は出金リジェクト部４３に搬送される。なお、紙幣受入部４１から取り込まれた紙幣のうち、入金処理時において汚損等により紙幣識別部４６で識別することができなかった紙幣は、入金リジェクト紙幣として紙幣払出部４２に返却される。
【００６１】
カセット装着部４４は、売上金の回収や釣銭の補充に用いる収納カセット６０を着脱可能である。複数の紙幣収納部４７は、それぞれ対応する金種が設定されており、設定された金種の紙幣を収納するとともに、収納されている紙幣を１枚ずつ繰出可能である。
【００６２】
周回搬送部４５は、中央に周回搬送路を有しており、紙幣受入部４１、紙幣払出部４２、出金リジェクト部４３、カセット装着部４４及び複数の紙幣収納部４７と周回搬送路との間には接続搬送路が設けられている。また、周回搬送路には、紙幣の金種、真偽、正損、表裏、搬送状態等の識別を行う紙幣識別部４６が設けられている。
【００６３】
周回搬送部４５は、図４における時計回りの方向及び反時計回りの方向に周回搬送路を回転駆動することで、紙幣を１枚ずつ搬送することができる。具体的には、紙幣を紙幣収納部４７に収納する場合には、周回搬送路を図４における時計回りに回転駆動し、紙幣を紙幣収納部４７から繰り出す場合には、周回搬送路を図４における反時計回りに回転駆動することになる。この回転駆動の制御に加え、周回搬送路と各接続搬送部との間で紙幣の搬送経路を切り換えることで、周回搬送部４５は、紙幣の搬送先を制御する。
【００６４】
図５は、硬貨処理ユニット５０の構成を示す構成図である。図５に示すように、硬貨処理ユニット５０は、硬貨投入口５１、入金硬貨搬送部５２、金種別の硬貨収納部５３、出金硬貨搬送部５４及び硬貨払出口５５を有する。また、入金硬貨搬送部５２には入金硬貨識別部５２ａが設けられ、出金硬貨搬送部５４には出金硬貨識別部５４ａが設けられている。
【００６５】
入金硬貨搬送部５２は、硬貨投入口５１に投入された硬貨を１層１列状態で１枚ずつ筐体内に取り込む。具体的には、入金硬貨搬送部５２には繰出ベルト等からなる硬貨繰出機構が設けられており、硬貨投入口５１に対する硬貨の投入を検知すると、硬貨繰出機構が駆動されることにより硬貨が１枚ずつ繰り出される。
【００６６】
入金硬貨識別部５２ａは、入金硬貨搬送部５２に繰り出された硬貨の金種、真偽、正損、表裏、搬送状態等の識別を行う。入金硬貨搬送部５２は、入金硬貨識別部５２ａの識別結果に基づいて、硬貨の搬送先を決定する。このとき、真正と識別できない、汚損があるなど、硬貨収納部５３での収納に適さない硬貨は、リジェクト硬貨として硬貨払出口５５が搬送先となる。硬貨収納部５３での収納に適する硬貨であれば、金種の識別結果に対応する硬貨収納部５３が搬送先となる。
【００６７】
複数の硬貨収納部５３は、それぞれ対応する金種が設定されており、設定された金種の硬貨を収納するとともに、収納されている硬貨を１枚ずつ出金硬貨搬送部５４に繰り出することができる。
【００６８】
出金硬貨搬送部５４は、硬貨収納部５３から繰り出された硬貨を搬送して硬貨払出口５５に投出する。出金硬貨識別部５４ａは、硬貨払出口５５の手前に設けられ、硬貨払出口５５に投出された硬貨の金種を識別する。
【００６９】
＜釣銭の出金処理＞
次に、貨幣処理装置３０における釣銭の出金処理について説明する。図６は、貨幣処理装置３０における釣銭の出金処理の処理手順を示すフローチャートである。まず、貨幣処理装置３０の入金処理部３４ａは、金銭登録機２０から小計額を受信し（ステップＳ１０１）、紙幣処理ユニット４０及び硬貨処理ユニット５０によって貨幣の投入を受け付ける（ステップＳ１０２）
【００７０】
入金処理部３４ａは、紙幣処理ユニット４０及び硬貨処理ユニット５０に投入された貨幣の金種毎の枚数からなる入金構成と入金額とを算定するとともに、投入された貨幣の入金額と小計額との差分を釣銭額として算定する（ステップＳ１０３）。
【００７１】
釣銭がある場合、すなわち投入された貨幣の入金額が小計額を超える場合（ステップＳ１０４；Ｙｅｓ）、出金処理部３４ｂが釣銭の出金処理を行う（ステップＳ１０５）。投入された貨幣の入金額が小計額と一致して釣銭がゼロである場合（ステップＳ１０４；Ｎｏ）、もしくはステップＳ１０５の出金処理が正常に終了した場合、入金処理部３４ａは金銭登録機２０に精算完了通知を送信して（ステップＳ１０６）、処理を終了する。
【００７２】
次に、ステップＳ１０５の出金処理部３４ｂによる出金処理の処理手順について説明する。図７は、ステップＳ１０５の出金処理部３４ｂによる出金処理の処理手順を示すフローチャートである。まず、出金処理部３４ｂは、小計額に基づいて、小計額を構成する貨幣の枚数が最小となる金種と枚数との組み合わせである小計額最小構成を算出する（ステップＳ２０１）。
【００７３】
さらに、出金処理部３４ｂは、金種ごとに、入金構成から小計額最小構成を減算した釣銭額出金構成を算出する釣銭額出金構成算出処理を行う（ステップＳ２０２）。
【００７４】
その後、出金処理部３４ｂは、釣銭額出金構成の各金種の枚数が収納庫内にあるか否かを判定する（ステップＳ２０３）。釣銭額出金構成の各金種の枚数が収納庫内にないならば（ステップＳ２０３；Ｎｏ）、釣銭額出金構成を、枚数が不足する金種の下位金種によって代替した釣銭額出金構成に更新する（ステップＳ２０４）。
【００７５】
その後、出金処理部３４ｂは、釣銭額出金構成の各金種の枚数が収納庫内にある場合（ステップＳ２０３；Ｙｅｓ）、または、釣銭額出金構成を、枚数が不足する金種の下位金種によって代替した釣銭額出金構成に更新した（ステップＳ２０４）後、現在の釣銭額出金構成によって釣銭の出金処理を行い（ステップＳ２０５）、ステップＳ１０５に移行する。なお、ステップＳ２０３，Ｓ２０４の処理は、ステップＳ２０２の釣銭額出金構成算出処理時に行うようにしてもよい。
【００７６】
次に、ステップＳ２０２の出金処理部３４ｂによる釣銭額出金構成算出処理の処理手順について説明する。図８は、ステップＳ２０２の出金処理部３４ｂによる釣銭額出金構成算出処理の処理手順を示すフローチャートである。まず、出金処理部３４ｂは、つり銭として出金される金種のうちの最低額金種を選択する（ステップＳ３０１）。その後、出金処理部３４ｂは、選択された金種に対する小計額最小構成の枚数が、選択された金種の入金構成の枚数より大きいか否かを判定する（ステップＳ３０２）。
【００７７】
選択された金種に対する小計額最小構成の枚数が、選択された金種の入金構成の枚数より大きい場合には（ステップＳ３０２．Ｙｅｓ）、入金構成を、選択された金種より高額（上位）の金種による両替を行った入金構成に更新する（ステップＳ３０３）。
【００７８】
選択された金種に対する小計額最小構成の枚数が、選択された金種の入金構成の枚数より大きくない場合（ステップＳ３０２．Ｎｏ）、または、入金構成を、選択された金種より高額（上位）の金種による両替を行った入金構成に更新した（ステップＳ３０３）ならば、選択された金種の釣銭額出金構成の枚数を算出する（ステップＳ３０４）。すなわち、選択された金種の入金構成の枚数から、選択された金種の小計額最小構成の枚数を減算して、選択された金種の釣銭額出金構成の枚数を算出する。
【００７９】
その後、出金処理部３４ｂは、全金種の選択が終了したか否かを判定する（ステップＳ３０５）。全金種の選択が終了していないならば（ステップＳ３０５；Ｎｏ）、現在選択された金種の次に大きい金種を選択し（ステップＳ３０６）、ステップＳ３０２に移行して上記の金種毎の釣銭額出金構成の枚数の算出処理を、全金種の選択が終了するまで続行する。
【００８０】
一方、全金種の選択が終了したならば（ステップＳ３０５；Ｙｅｓ）、算出された釣銭額出金構成を出力して（ステップＳ３０７）、ステップＳ２０２に移行する。
【００８１】
次に、図９を参照して、具体的な釣銭額出金構成算出処理について説明する。図９に示すように、小計額が３４５５円であり（図９（ａ））、入金額が７５００円であり、入金額の入金構成が、１０００円紙幣４枚、５００円硬貨５枚、１００円硬貨７枚、５０円硬貨６枚、１０円硬貨０枚、５円硬貨０枚である（図９（ｂ））場合、釣銭額が４０４５円として算定される（図９（ｃ））。なお、入金構成は、５０円硬貨５枚、１０円硬貨５枚とする図１の入金構成に対し、５０円硬貨６枚、１０円硬貨０枚とする点が異なる。
【００８２】
一方、小計額最小構成は、１０００円紙幣３枚、５００円硬貨０枚、１００円硬貨４枚、５０円硬貨１枚、１０円硬貨０枚、５円硬貨１枚として算出される（図９（ｄ））。そして、最小金種から、金種ごとに、入金構成から小計額最小構成を減算した釣銭額出金構成を算出するが、５円硬貨の小計額最小構成の枚数（１枚）は、５円硬貨の入金構成の枚数（０枚）より大きいため、５円硬貨より高額の金種である１０円硬貨を両替するが、１０円硬貨も０枚であるため（図９（ｅ））、５０円硬貨を１０円硬貨に両替した入金構成に更新する（図９（ｆ））。この入金構成は、図１に示した最初の入金構成と同じである。その後、１０円硬貨を５円硬貨に両替した入金構成に更新する（図９（ｇ））。これにより、すべての金種で、入金構成の枚数が小計額最小構成の枚数より大きくなる。
【００８３】
その後、各金種毎に、更新された入金構成の枚数から小計額最小構成の枚数を減算して釣銭額出金構成を算出する（図９（ｈ））。最終的な釣銭額出金構成は、入金構成（１０００円紙幣４枚、５００円硬貨５枚、１００円硬貨７枚、５０円硬貨５枚、１０円硬貨４枚、５円硬貨２枚）から小計値最小構成（１０００円紙幣３枚、５００円硬貨０枚、１００円硬貨４枚、５０円硬貨１枚、１０円硬貨０枚、５円硬貨１枚）を金種毎に減算し、１０００円紙幣１枚、５００円硬貨５枚、１００円硬貨３枚、５０円硬貨４枚、１０円硬貨４枚、５円硬貨１枚となる。この釣銭額出金構成の金種毎の枚数が、釣銭として紙幣投出口４１ａ及び硬貨払出口５５へ払い出される。また、投入された金種毎の貨幣は、紙幣収納部４７及び硬貨収納部５３に収納される。
【００８４】
上述してきたように、本実施例では、金種毎に入金構成から小計額最小構成を減算した余剰分の釣銭額出金構成の金種毎の枚数を釣銭として顧客側に払い出すとともに、投入された金種毎の枚数を収納庫に格納するようにしているため、精算毎に特定の金種の格納枚数が急増することを防止することができる。この結果、商品購入の精算時に顧客が特定の金種の大量投入を含む入金を発生させても、その後に精算する顧客に対する釣銭に、代替された特定の金種の貨幣が大量に含まれることが防止され、その後に精算する顧客に対する釣銭対応への影響を小さくすることができる。
【００８５】
＜変形例１＞
これまでの説明では、入金された金種の構成の中に釣銭として顧客側に払い出す金種構成が含まれていた場合、当該の金種を払い出す様に出金処理を行うようにしていたが、本変形例１では、収納庫在高状態を加味し、収納庫在高が多い状態の金種がある場合は、収納庫在高が多い状態の金種の枚数をさらに増やした釣銭額出金構成によって出金処理を行い、収納庫在高が少ない状態の金種がある場合は、収納庫在高が少ない状態の金種を減らした釣銭額出金構成によって出金処理を行い、収納庫在高が適量な状態となるようにしている。
【００８６】
図１０は、本変形例１に係る貨幣処理装置３０の出金処理部３４ｂによる出金処理の処理手順を示すフローチャートである。図１０に示すように、まず、出金処理部３４ｂは、実施例と同様に、小計額に基づいて、小計額を構成する貨幣の枚数が最小となる金種と枚数との組み合わせである小計額最小構成を算出する（ステップＳ４０１）。
【００８７】
さらに、出金処理部３４ｂは、金種ごとに、入金構成から小計額最小構成を減算した釣銭額出金構成を算出する釣銭額出金構成算出処理を行う（ステップＳ４０２）。
【００８８】
その後、出金処理部３４ｂは、１つの金種を選択する（ステップＳ４０３）。そして、出金処理部３４ｂは、収納庫在高状態が、エンプティ又はニアエンプティか、ニアフル又はフルか、適量範囲かを、在高データ３３ａを参照して判定する（ステップＳ４０４）。
【００８９】
収納庫在高状態が、エンプティ又はニアエンプティであるならば（ステップＳ４０４；エンプティ又はニアエンプティ）、小計額最小構成を、選択された金種の枚数を減らした釣銭額出金構成に更新する（ステップＳ４０５）。選択された金種の枚数の増量は、エンプティ又はニアエンプティに応じて収納庫在高状態が適量範囲となるように行うことが好ましい。
【００９０】
収納庫在高状態が、ニアフル又はフルであるならば（ステップＳ４０４；ニアフル又はフル）、小計額最小構成を、選択された金種の枚数を増やした釣銭額出金構成に更新する（ステップＳ４０６）。選択された金種の枚数の減量は、ニアフル又はフルに応じて収納庫在高状態が適量範囲となるように行うことが好ましい。
【００９１】
ステップＳ４０５，Ｓ４０６の処理で釣銭額出金構成が更新された場合、ステップＳ４０７に移行する。
【００９２】
収納庫在高状態が、適量範囲であるならば（ステップＳ４０４；適量範囲）、そのままステップＳ４０７に移行する。
【００９３】
ステップＳ４０７では、全金種の選択が終了したか否かを判定する。全金種の選択が終了していないならば（ステップＳ４０７；Ｎｏ）、さらに他の金種を選択し（ステップＳ４０８）、ステップＳ４０４に移行して上記の処理を金種毎に繰り返し行う。
【００９４】
一方、全金種の選択が終了しているならば（ステップＳ４０７；Ｙｅｓ）、釣銭額出金構成による出金処理を行って（ステップＳ４０９）、ステップＳ１０５に移行する。
【００９５】
なお、本変形例１では、収納庫在高状態が少ない状態をエンプティ又はニアエンプティであるかによって判定し、収納庫在高状態が多い状態をニアフル又はフルであるかによって判定していたが、各金種の残置設定枚数より多いか少ないかによって収納庫在高状態を判定してもよい。残置設定枚数とは、収納庫に対する残置回収時に、収納庫に残置する貨幣の量であり、あらかじめ設定される設定値３３ｂである。
【００９６】
また、設定値３３ｂは、出金処理時に収納庫在高状態を増減変更するための専用の金種別の所定量（枚数）を設定値３３ｂとしてあらかじめ設定してもよい。
【００９７】
さらに、出金処理時に収納庫在高状態を増減する収納庫の優先度を設定値３３ｂとしてあらかじめ設定しておき、優先度の高い収納庫から順に出金処理時に収納庫在高状態を増減変更するようにしてもよい。
【００９８】
このようにして、本変形例１では、釣銭の出金処理時に収納庫在高状態を増減変更するための所定量（枚数）を設定し、この所定量を判定基準として、釣銭の出金処理時に収納庫在高状態を増減変更しているので、収納庫在高状態を安定して適正量とすることができる。すなわち、精算時に顧客が特定の金種の大量投入を含む入金を発生させても、その後に精算する顧客に対する釣銭対応への影響を小さくすることができる。
【００９９】
＜変形例２＞
上記の実施例では、収納庫在高の枚数が不足する場合に下位金種の代替を行った釣銭額出金構成の出金処理を行うようにしていたが、本変形例２では、金種毎に算出される入金構成の枚数と小計額最小構成の枚数との差分枚数である余剰値が下限値を超える場合のみ、釣銭額出金構成の出金処理を行い、余剰値が下限値を超えない場合、釣銭額が最小枚数となる釣銭額最小構成で出金処理を行うようにしている。すなわち、精算時に顧客が特定の金種の大量投入を含む入金を発生させた場合のみ、釣銭額出金構成の出金処理を行うようにしている。
【０１００】
図１１は、本変形例２に係る貨幣処理装置３０の出金処理部３４ｂによる出金処理の処理手順を示すフローチャートである。図１１に示すステップＳ５０１〜Ｓ５０４は、図７に示した実施例におけるステップＳ２０１〜Ｓ２０４と同じ処理を行う。図７では、その後、釣銭額出金構成による出金を行っていた（ステップＳ２０５）が、本変形例２では、その後、金種毎に算出される入金構成の枚数と小計額最小構成の枚数との差分枚数である余剰値が下限値を超える金種があるか否かを判定する（ステップＳ５０５）。
【０１０１】
余剰値が下限値を超える金種があるならば（ステップＳ５０５；Ｙｅｓ）、釣銭額出金構成による出金を行い（ステップＳ５０６）、余剰値の貨幣を返却して、ステップＳ１０５に移行する。
【０１０２】
一方、余剰値が下限値を超える金種がないならば（ステップＳ５０５；Ｎｏ）、精算時に顧客が特定の金種の大量投入を含む入金を発生していないため、通常時と同様に、釣銭額最小構成による出金を行い（ステップＳ５０７）、ステップＳ１０５に移行する。
【０１０３】
図１２は、入力構成、小計額最小構成、釣銭額出金構成及び釣銭額最小構成の一例を示す図である。図１２において、下限値が３枚に設定されていると、５００円硬貨は、余剰値（釣銭額出金構成）が５枚であり、下限値を超えて投入枚数が多い金種であるため、余剰値を顧客に返却するべく釣銭額出金構成による出金が行われる。なお、下限値を３枚にすると、この下限値は、１００円硬貨や１０円硬貨に対しては通常の釣銭額最小構成に現れる枚数であるため、適切でない。したがって、下限値は金種毎に設定することが好ましい。
【０１０４】
また、余剰値の合計値に対する下限値を設定してもよい。あるいは、特定の複数金種の余剰値の合計値に対する下限値を設定してもよい。また、下限値は、余剰値ではなく、入金構成の金種の絶対投入枚数であってもよいし、絶対投入枚数の合計値であってもよい。
【０１０５】
本変形例２では、精算時に常に余剰値の貨幣を顧客にそのまま返却するのではなく、精算時に顧客が特定の金種の大量投入を含む入金を発生させた場合のみ、すなわち余剰値が下限値を超える金種がある場合や余剰値の合計値が下限値を超える場合、あるいは金種の絶対投入枚数が下限値を超える場合や絶対投入枚数の合計値が下限値を超える場合、釣銭額出金構成による出金を行って貨幣を顧客に返却するよういしているので、実施例の効果を奏するとともに、精算時に特定の金種の大量投入を含む入金を発生させない通常の顧客に対しては適正な釣銭対応を行うことができる。
【０１０６】
＜変形例３＞
上記の変形例２では、精算時に顧客が特定の金種の大量投入を含む入金を発生させた場合のみ、すなわち、余剰値や絶対投入枚数が下限値を超える場合のみ、釣銭額出金構成による出金を行って余剰分の貨幣をそのまま顧客に返却するようにしていたが、本変形例３では、返却される余剰値の枚数が、収納庫に収納される釣銭額最小構成の枚数を考慮し、上限値を超えて多い場合に、上限値を超える金種の貨幣を上位金種に逆両替し、貨幣枚数を減じて顧客に返却するようにしている。
【０１０７】
図１３は、本変形例３に係る貨幣処理装置３０の出金処理部３４ｂによる出金処理の処理手順を示すフローチャートである。図１３に示すステップＳ６０１〜Ｓ６０５，Ｓ６０７，Ｓ６０９は、図１１に示した変形例２におけるステップＳ５０１〜Ｓ５０７と同じ処理を行う。本変形例２は、図１１に示した変形例２のステップＳ５０５，Ｓ５０６間にステップＳ６０６，Ｓ６０８を追加している。
【０１０８】
すなわち、図１３に示すように、余剰値が下限値を超える金種があるならば（ステップＳ６０５；Ｙｅｓ）、さらに、余剰値から小計額最小構成を減算した値が上限値を超える金種があるか否かを判定する（ステップＳ６０６）。
【０１０９】
余剰値から小計額最小構成を減算した値が上限値を超える金種がないならば（ステップＳ６０６；Ｎｏ）、ステップＳ５０６と同様に、釣銭額出金構成による出金を行い（ステップＳ６０７）、余剰値の貨幣を返却して、ステップＳ１０５に移行する。
【０１１０】
一方、余剰値から小計額最小構成を減算した値が上限値を超える金種があるならば（ステップＳ６０６；Ｙｅｓ）、上限値を超える金種のい貨幣を上位金種に逆両替した釣銭額出金構成に更新した（ステップＳ６０８）後、ステップＳ６０７に移行し、釣銭額出金構成による出金を行い（ステップＳ６０７）、余剰値の貨幣を返却して、ステップＳ１０５に移行する。
【０１１１】
具体的には、図１２において、上限値が３枚に設定されていると、５００円硬貨は、余剰値から小計地最小構成を減算した値が５枚であり、収納庫への収納枚数を減じても上限値を超えて余剰値の返却枚数が多い金種であるため、例えば５００円硬貨２枚を上位金種である１０００円紙幣１枚に逆両替して返却枚数を減らすようにしている。
【０１１２】
すなわち、余剰値の返却枚数が、同一金種の投入枚数のうちのいくらかが小計額として収納庫へ収納されている枚数を考慮した上限値を超える場合、その収納分を考慮して余剰値の返却枚数を減らすことは顧客にとって有利なものとなり、釣銭額出金構成による出金を行っているので、その後精算する顧客に対する釣銭対応への影響も少ない。
【０１１３】
なお、上限値は、金種毎に異なる値を設定してもよい。また、上限値は、硬貨及び紙幣の枚数の合計値に対して設定してもよい。さらに、上限値は、硬貨のみに対して設定し、金種毎に異なる値を設定してもよい。また、上限値は、硬貨のみの異なる金種の枚数の合計値に対して設定してもよい。
【０１１４】
＜変形例４＞
上記の実施例では、入金された貨幣の全てを対象として入金額及び入金構成を算定し、釣銭額出金構成を算出して釣銭を出金するようにしていたが、本変形例４では、貨幣の入金時に余剰の入金貨幣を予めリジェクトして顧客に返却するようにしている。
【０１１５】
図１４は、本変形例４に係る貨幣処理装置３０による釣銭の出金処理の処理手順を示すフローチャートである。図１４に示したフローチャートでは、図６に示したフローチャートのステップＳ１０２，Ｓ１０３間に、ステップＳ１０２ａ，Ｓ１０２ｂを新たに追加している。
【０１１６】
すなわち、紙幣処理ユニット４０及び硬貨処理ユニット５０によって貨幣の投入を受け付けた（ステップＳ１０２）後、入金処理部３４ａは、紙幣処理ユニット４０及び硬貨処理ユニット５０に投入された貨幣の入金額が小計額を超えたか否かを判定する（ステップＳ１０２ａ）。
【０１１７】
投入された貨幣の入金額が小計額を超えたならば（ステップＳ１０２ａ；Ｙｅｓ）、その後の入金貨幣をリジェクトし（ステップＳ１０２ｂ）、リジェクトされた入金貨幣は、紙幣投出口４１ａまたは硬貨払出口５５へ払い出される。その後、ステップＳ１０３に移行する。一方、投入された貨幣の入金額が小計額を超えないならば（ステップＳ１０２ａ；Ｎｏ）、そのままステップＳ１０３に移行する。
【０１１８】
ステップＳ１０３では、入金処理部３４ａが、紙幣処理ユニット４０及び硬貨処理ユニット５０に投入され、リジェクトされなかった貨幣の金種毎の枚数からなる入金構成と入金額とを算定するとともに、投入された貨幣の入金額と小計額との差分を釣銭額として算定する。以降の処理では、ステップＳ１０３で算定された入金構成と入金額とが用いられて処理される。
【０１１９】
なお、紙幣投出口４１ａ及び硬貨払出口５５は、リジェクトされた貨幣が払い出されるリジェクト部と機能するとともに、釣銭が払い出される払出部として機能する排出部である。
【０１２０】
本変形例４では、入金額が小計額を超えた時点で、その後投入される貨幣をリジェクトして返却するようにしているので、釣銭額出金構成の算出処理が容易となり、迅速な出金処理を行うことができる。
【０１２１】
＜変形例５＞
上記の実施例で説明した貨幣処理装置３０は、入金された貨幣などを一時保留する一時保留部が設けられていなかったが、本変形例５では、貨幣処理装置３０に一時保留部５６を設けている。
【０１２２】
図１５は、変形例５に係る硬貨処理ユニット５０の構成を示す構成図である。図１５に示すように、変形例５では、硬貨投入口５１と入金硬貨搬送部５２との間に一時保留部５６を設けている。また、硬貨投入口５１と一時保留部５６との間には入金硬貨識別部５２ｃを設けている。その他の構成は、図５に示した硬貨処理ユニット５０と同じである。
【０１２３】
硬貨投入口５１から入金された硬貨は入金硬貨識別部５２ｃを介して一時保留部５６に一時保留される。入金硬貨識別部５２ｃは、通過する硬貨の金種、真偽、正損、表裏、搬送状態等の識別を行う。一時保留部５６は、例えば、真正と識別できない、汚損があるなど、硬貨収納部５３での収納に適さない硬貨は、リジェクト硬貨として硬貨払出口５５に返却される。なお、紙幣処理ユニット４０にも一時保留部５６と同様な一時保留部が設けられる。
【０１２４】
図１６は、一時保留部５６を用いた出金処理部３４ｂによる出金処理の処理手順を示すフローチャートである。変形例５の出金処理部３４ｂは、図７に示した実施例のステップＳ２０１〜Ｓ２０３の処理と同じ、ステップＳ７０１〜Ｓ７０３の処理を行う。
【０１２５】
出金処理部３４ｂは、釣銭額出金構成の各金種の枚数が収納庫内にある場合（ステップＳ７０３；Ｙｅｓ）、収納庫から釣銭額出金構成が示す金種の枚数を出金し（ステップＳ７０４）、その後、一時保留部５６に一時保留されている入金貨幣を金種毎に収納庫に収納して（ステップＳ７０５）、ステップＳ１０５に移行する。
【０１２６】
一方、出金処理部３４ｂは、釣銭額出金構成の各金種の枚数が収納庫内にないならば（ステップＳ７０３；Ｎｏ）、一時保留部５６に一時保留されている入金貨幣を金種毎に収納庫に収納し（ステップＳ７０６）、その後、収納庫から釣銭額出金構成が示す金種の枚数を出金し（ステップＳ７０７）、ステップＳ１０５に移行する。
【０１２７】
このようにして、変形例５では、釣銭額出金構成の各金種の枚数が収納庫内にある場合、速やかに釣銭額出金構成の出金を行って、その後、一時保留部５６に一時保留された入金貨幣を収納庫に収納するようにしているので、顧客に対して、迅速な釣銭の払い出しを行うことができる。
【０１２８】
なお、上記の実施例及び変形例１〜５では、貨幣処理装置３０の入金処理部３４ａ及び出金処理部３４ｂが釣銭の出金処理制御を行っていたが、この釣銭の出金処理制御機構を金銭登録機２０側に設けるようにしてもよい。
【０１２９】
また、上記の実施例及び変形例１〜５では、顧客自身が商品の登録及び精算を行うセルフレジを例に説明を行ったが、店員が金銭登録機を用いて商品の登録を行い、顧客が精算装置を用いて自ら精算を行うセミセルフレジにも本発明を適用することができる。さらに、店員が入金貨幣を貨幣処理装置に入金する有人レジにも適用することができる。
【０１３０】
さらに、本実施例及び変形例１〜５では、本発明をコンビニエンスストアやスーパーマーケット等の貨幣処理システムに適用した場合を示したが、本発明はこれに限定されるものではなく、任意の貨幣処理システムに適用することができる。例えば、券売機や自動販売機などにも適用することができる。
【０１３１】
また、本実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１３２】
本発明の貨幣処理装置、貨幣処理システム及び貨幣処理方法は、顧客が商品の精算を行うために特定の金種の貨幣を大量投入したとしても、その後に精算する他の顧客に対する釣銭対応への影響を小さくする場合に有用である。
【符号の説明】
【０１３３】
１０  精算装置
１１、１２  商品台
２０  金銭登録機
２１、３２  表示操作部
２２  バーコードリーダ
２３  カードリーダ
２４  印字部
２５  通信部
２６  ＰＯＳ制御部
２６ａ  購入商品登録部
２６ｂ  購入金額算定部
２６ｃ  決済処理部
２７ａ、２７ｂ  重量センサ
３０  貨幣処理装置
３１  通信部
３３  記憶部
３３ａ  在高データ
３３ｂ  設定値
３４  貨幣処理制御部
３４ａ  入金処理部
３４ｂ  出金処理部
４０  紙幣処理ユニット
４１  紙幣受入部
４１ａ  紙幣投入口
４２  紙幣払出部
４２ａ  紙幣投出口
４３  出金リジェクト部
４４  カセット装着部
４５  周回搬送部
４６  紙幣識別部
４７  紙幣収納部
５０  硬貨処理ユニット
５１  硬貨投入口
５２  入金硬貨搬送部
５２ａ、５２ｃ  入金硬貨識別部
５３  硬貨収納部
５４  出金硬貨搬送部
５４ａ  出金硬貨識別部
５５  硬貨払出口
５６  一時保留部
６０  収納カセット
【図１】
2020119453.tif 000003
【図２】
2020119453.tif 000004
【図３】
2020119453.tif 000005
【図４】
2020119453.tif 000006
【図５】
2020119453.tif 000007
【図６】
2020119453.tif 000008
【図７】
2020119453.tif 000009
【図８】
2020119453.tif 000010
【図９】
2020119453.tif 000011
【図１０】
2020119453.tif 000012
【図１１】
2020119453.tif 000013
【図１２】
2020119453.tif 000014
【図１３】
2020119453.tif 000015
【図１４】
2020119453.tif 000016
【図１５】
2020119453.tif 000017
【図１６】
2020119453.tif 000018